(57)【要約】【課題】複数の符号化方式に対応した画像圧縮符号化復号装置あるいは記録再生装置において一方の符号化ストリームの画像のズーム処理を画質劣化を抑えつつ実現する。【解決手段】入力ビデオ信号を圧縮符号化し第１の符号化ビデオビットストリームを生成して出力する第１のビデオ圧縮符号化手段１０２と、入力ビデオ信号のうち一部の画像領域のみを所定の解像度に解像度変換する解像度変換手段１０７〜１０９と、解像度変換手段によって解像度変換されたビデオ信号を圧縮符号化し第２の符号化ビデオビットストリームを生成して出力する第２のビデオ圧縮符号化手段１１０と、第１の符号化ビデオビットストリームを記録する蓄積メディア１０４と、第２のビデオビットストリームを通信ネットワークに接続された端末装置１１３に伝送する手段１１１を備えた符号化ビデオ記録装置。【選択図】        図１
2004201072.tif 000002
【特許請求の範囲】
【請求項１】
ビデオ信号を入力とし、圧縮符号化し符号化ビデオビットストリームを出力するビデオ符号化装置であって、
入力ビデオ信号を圧縮符号化し第１の符号化ビデオビットストリームを生成して出力する第１のビデオ圧縮符号化手段と、
前記入力ビデオ信号のうち一部の画像領域のみを所定の解像度に解像度変換する解像度変換手段と、
該解像度変換手段によって解像度変換されたビデオ信号を圧縮符号化し第２の符号化ビデオビットストリームを生成して出力する第２のビデオ圧縮符号化手段とを備えることを特徴とするビデオ符号化装置。
【請求項２】
請求項１に記載のビデオ符号化装置と、
上記第１の符号化ビデオビットストリームを蓄積メディアに記録する記録手段と、
第２のビデオビットストリームを通信ネットワークに接続された端末装置に伝送する手段と
を備えることを特徴とする符号化ビデオ記録装置。
【請求項３】
上記端末装置からの指示に従って、上記解像度変換手段の切出画面領域の範囲、および解像度変換の拡大縮小率を変更させることにより上記端末装置に表示する画面のズーム処理を行う手段と
を備えることを特徴とする請求項２に記載の符号化ビデオ記録装置。
【請求項４】
請求項１に記載のビデオ符号化装置と、
上記第１の符号化ビデオビットストリームを第１の蓄積メディアに記録する第１の記録手段と第２の符号化ビデオビットストリームを第２の蓄積メディアに記録する第２の記録手段と
を備えたことを特徴とする符号化ビデオ記録装置。
【請求項５】
第２の蓄積メディアに記録させる画面領域およびズーム倍率を指定するユーザーインタフェースと、
該ユーザーインタフェースを介してユーザーにより指定された指示に基づき、請求項１に記載の上記解像度変換手段の切出画面領域の範囲、および解像度変換の拡大縮小率を変更させることにより上記第２の蓄積メディアに記録するズーム倍率を変更する手段と
を備えたことを特徴とする請求項４に記載の符号化ビデオ記録装置。
【請求項６】
圧縮された符号化ビデオビットストリームを入力とし、復号してビデオ信号を出力する符号化ビデオ復号装置であって、
入力符号化ビデオビットストリームを復号し、入力符号化ビデオビットストリームにおいて指定された画像サイズと同じ解像度を持つビデオ信号を出力するビデオ復号手段と、
復号されたビデオ信号の画像のうち一部の画像領域のみを所定の解像度に解像度変換し再び圧縮符号化して符号化ビデオビットストリームを出力するビデオ圧縮符号化手段と
を備えることを特徴とする符号化ビデオ復号装置。
【請求項７】
請求項６に記載の符号化ビデオ復号装置と、
蓄積メディアから入力符号化ビデオ信号を供給する手段と、
上記ビデオ圧縮符号化手段から出力された上記符号化ビデオビットストリームを通信ネットワークに接続された端末装置に伝送する手段と
を備えることを特徴とする符号化ビデオ再生装置。
【請求項８】
上記端末装置からの指示に従って、上記解像度変換手段の切出画面領域の範囲、および解像度変換の拡大縮小率を変更させることにより上記携帯端末に表示する画面のズーム処理を行う手段
を備えることを特徴とする請求項７に記載の符号化ビデオ再生装置。
【請求項９】
請求項６に記載の符号化ビデオ復号装置を備え、さらに第１の蓄積メディアから入力符号化ビデオ信号を供給する手段を備え、さらに請求項６において記載された上記ビデオ圧縮符号化手段から出力された上記符号化ビデオビットストリームを第２の蓄積メディアに記録する手段を備えることを特徴とする符号化ビデオ再生装置。
【請求項１０】
第２の蓄積メディアに記録させる画面領域およびズーム倍率を指定するユーザーインタフェースと、
該ユーザーインタフェースを介してユーザーにより指定された指示に基づき、請求項１に記載の上記解像度変換手段の切出画面領域の範囲、および解像度変換の拡大縮小率を変更させることにより上記第２の蓄積メディアに記録するズーム倍率を変更する手段と
を備えたことを特徴とする請求項９に記載の符号化ビデオ再生装置。
【請求項１１】
請求項２乃至請求項５のいずれかに記載の符号化ビデオ記録装置を備えたことを特徴とする監視システム。
【請求項１２】
請求項６乃至請求項１０のいずれかに記載の符号化ビデオ再生装置を備えたことを特徴とする監視システム。
【発明の詳細な説明】
【０００１】
【発明の属する技術分野】
本発明は、ビデオ信号をデジタル蓄積メディアに圧縮符号化することで符号化ビデオビットストリームを生成しこれを記録し、また再生時には該ビットストリームを伸長して画像として出力する画像記録再生装置に関するものであり、またこれらの技術を用いた監視システムにも関連する技術である。
【０００２】
【従来の技術】
画像情報をディジタル化し圧縮符号化理論を用いて蓄積媒体に記録したり、通信媒体を介して転送する技術が多種多様な機器で用いられるようになってきた。例えばＭＰＥＧ２Ｖｉｄｅｏ（ＩＳＯ／ＩＥＣ１３８１８−２）を用いたＤＶＤ記録再生装置や、ＭＰＥＧ４Ｖｉｄｅｏ（ＩＳＯ／ＩＥＣ１４４９６−２）を用いた携帯端末間の通信、またＪＰＥＧ圧縮技術を用いたディジタルスチルカメラなどが普及している。さらに複数のメディアとのインタフェースをもち、それぞれのメディアに対応した複数の符号化方式で画像を圧縮符号化および復号するような機器もあり、異なる符号化方式間でのデータ変換およびデータのコピー、バックアップ技術が必要されつつある。例えば、同じ入力画像から異なる符号化方式で記録する画像記録装置が開示されている（例えば、先行特許文献１参照）。また、一度ＭＰＥＧ２Ｖｉｄｅｏで圧縮符号化されたビデオストリームをＭＰＥＧ４Ｖｉｄｅｏの符号化方式に変換（トランスコード）する装置が既に開示されている（例えば、先行特許文献２参照）。
【０００３】
【特許文献１】
特開平１０−１０８１３３号公報
【特許文献２】
特開２００２−１２５２３４号公報
【０００４】
【発明が解決しようとする課題】
上記、公知例群では、複数の符号化方式に対応する際、異なる符号化、復号手段間で画像サイズの違うデータを扱うことを許容しているが、例えば、片方の画像にのみズーム処理して圧縮符号化をかけるなど、複数の圧縮符号化、復号手段間で画郭の変更を要する場合は、別途、新たな手段を設ける必要があった。
【０００５】
ここで課題にしている例として、例えばひとつの入力画像をもちＭＰＥＧ２とＭＰＥＧ４の符号化規格で同時にストリームを出力する際、ＭＰＥＧ４のストリームのみ入力画像の一部をズームアップして出力するような場合が挙げられる。
【０００６】
また、別の例としてＭＰＥＧ２で予め蓄積メディアに記録された符号化ストリームを復号し、ＭＰＥＧ４のストリームに変換し通信メディアを介して送信するような場合に、やはり一部の画像部分のみをズームアップしてトランスコードする機能などがある。
【０００７】
本発明では、上記の機能を実現し、さらにズーム処理時の画質劣化を低減した手法を提案することを目的とする。
【０００８】
また、本発明は、全体のハードウェアおよび制御ソフトウェアのコスト面で安価な装置を実現することを課題とする。
【０００９】
【課題を解決するための手段】
上記課題を解決するために、本発明は、ビデオ信号を入力とし、入力ビデオ信号の解像度と同じ解像度を保持しながら第１の符号化ビデオビットストリームを生成して出力する第１のビデオ圧縮符号化手段と、該入力ビデオ信号のうち一部の画像領域のみを所定の解像度に解像度変換し第２の符号化ビデオビットストリームを生成して出力する第２のビデオ圧縮符号化手段を備え、上記解像度をユーザーインタフェースもしくは遠隔の端末から制御できる手段を備える。また、圧縮された符号化ビデオビットストリームを入力とし、入力符号化ビデオビットストリームを復号し、入力符号化ビデオビットストリームにおいて指定されたサイズと同じ解像度を持つビデオ信号を出力するビデオ復号手段と、該第１のビデオ信号の画像のうち一部の画像領域のみを所定の解像度に解像度変換し再び圧縮符号化して符号化ビデオビットストリームを出力するビデオ圧縮符号化手段を備える。
【００１０】
【発明の実施の形態】
以下、本発明による実施の形態について記載する。まず本発明における第１の実施例について図１のブロック図を用いて述べる。本発明における第１の実施例は、ディジタルビデオを入力として、ＭＰＥＧ２符号化方式で蓄積メディアへ記録し、またＭＰＥＧ４方式で通信ネットワークに接続された携帯端末に送信するビデオ符号化記録再生装置である。
【００１１】
ビデオ符号化記録再生装置は、ディジタル画像入力端子１０１と、ＭＰＥＧ２ビデオエンコーダ１０２と、蓄積メディアＩＦ１０３と、ハードディスク１０４と、ＭＰＥＧ２デコーダ１０５と、画像切出し回路１０７と、画像拡大回路１０８と、画像解像度変換回路１０９と、ＭＰＥＧ４ビデオエンコーダ１１０と、通信ＩＦ１１１と、制御回路１１４と、復号画像出力端子１２０とを有して構成される。このビデオ符号化記録再生装置は、通信ネットワーク１１２を介して、携帯端末１１３と接続される。
【００１２】
入力端子１０１から入力されたディジタル画像信号（たとえば／ＲＥＣ６０１方式）は、ハードディスク１０４で記録するために、まずＭＰＥＧ２エンコーダ１０２でＭＰＥＧ２ビデオＭＰ＠ＭＬレベルに準拠したエレメンタリストリー（ＥＳ）に符号化され情報量を圧縮される。その後、蓄積メディアＩＦ１０３に転送され、ハードディスク１０４がサポートするＡＴＡやＳＣＳＩなどのプロトコルに準拠してハードディスク１０４に記録される。このとき、後に所定の時刻のデータを検索し、再生可能にするためＭＰＥＧ２符号化ストリームはパケタイズさらにファイル化され、管理情報とともにハードディスク１０４に記録される。
【００１３】
再生時には、蓄積メディアＩＦ１０３によってファイルが読み出され、パケタイズされていた情報よりＥＳのみを抽出し、ＭＰＥＧ２デコーダ１０５に渡される。
【００１４】
ＭＰＥＧ２デコーダ１０５では、ＥＳデータは復号され、ディジタルビデオ信号として出力端子１２０より図示されていないディスプレイ機器に表示される。
【００１５】
入力端子１０１からハードディスク１０４に記録、さらに再生して出力端子１２０から出力するデータパスで扱われる画像サイズは、図２のオリジナル画像１０に示すように入力端子１０１から入力されたビデオ信号の有効画素領域分７０４×４８０の画像領域と同等サイズであり、図２の蓄積メディア記録時画像１１に示すように７０４×４８０である。
【００１６】
一方、通信ネットワーク１１２に接続された携帯端末１１３にＭＰＥＧ４のデータを送信する際、入力端子１０１からの入力ビデオ信号は画像切出し回路１０７で入力画像のうち一部分が切り取られ次の画像拡大回路１０８で０値画素補間される、さらに携帯端末１１３側で表示されるべきサイズに解像度を変換する画像解像度変換回路１０９でローパスフィルタ処理、画素間引き処理が行われＭＰＥＧ４エンコーダに渡される。
【００１７】
ＭＰＥＧ４でエンコードされたＭＰＥＧ４ストリームは、通信ＩＦ１１１を介して通信ネットワーク１１２に接続された携帯端末１１３に送信される。
【００１８】
携帯端末１１３は、たとえば、ＭＰＥＧ４復号機能つき携帯電話などであって、送信されたＭＰＥＧ４ストリームを復号することでユーザが、遠隔地より入力端子１０１に入ったビデオ信号をモニタリングすることができる。
【００１９】
もし、携帯端末側のユーザーがモニタ中の画面のズームを希望し、携帯端末１１３のキーＩＦよりズーム処理を指定した場合、該指定コマンドが通信ネットワーク１１２を介して通信ＩＦ１１１に転送される。
【００２０】
通信ＩＦ１１１は、このコマンドを制御回路１１４に送信する。制御回路１１４では受信した上記コマンドの指示にしたがって、ズーム倍率、ズーム位置を調整するため、画像切出し回路１０７、画像拡大回路１０８、画像解像度変換回路１０９を制御する。
【００２１】
次に、上記回路１０７〜１０９における画像の解像度変換の過程を、図２を用いて説明する。ここでは、オリジナル画像（有効雅画素領域）１０で示された入力画像の有効画素領域は７０４×４８０（図２の１０）であり、最終的に携帯端末１１３で表示する必要のある画像サイズ（図２の通信端末出力画像サイズ１３）を１７６×１２０とする。
【００２２】
携帯端末１１３でズームの機能が指示されていない場合、入力端子１０１からの入力画像は、画像切出し回路１０７において入力画像の有効画素帰還すべての画像領域が選択され、次の画像拡大回路１０８に送られる（図２のズームなし）。この場合、画像拡大回路１０８では何も変換処理が行われず、次の画像解像度変換回路１０９にすべての画素情報を送信する。
【００２３】
画像解像度変換回路１０９では、図２のＬＰＦ（ローパスフィルタブロック）１２で水平、垂直ともにデータの高域成分をカットしたのち、水平、垂直の画素を間引いて画像サイズを縮小する。図２の場合、オリジナル画像サイズに対して端末側での出力画像サイズは水平、垂直ともに１／４なので水平、垂直ともにオリジナル画像の各画素位置から４画素に１画素だけ残して後の画素位置の情報を破棄する。前段のＬＰＦで適切にエリアジング成分の除去を施すことにより、画質の劣化を抑えながら縮小を行うことが可能である。
【００２４】
次に、ズーム処理が入る場合の処理について説明する。ズーム処理が入る場合、制御回路１１４より画像切出し回路１０７にズーム倍率に応じて切出部分１４の領域サイズ（水平×垂直）と切出部分のオリジナル画像中の位置についての指定情報が入力される。例えば、ズーム倍率が２倍のとき、オリジナル画像１０のうち、水平、垂直それぞれ１／２のサイズ領域すなわち、３５２×２４０分の画像領域（切出部分）１４が所定オフセット位置より切出しされる。
【００２５】
ここで、切出しとは、その画素情報のみを次の画像拡大回路１０８に渡し、他の画像情報を破棄することを意味する。
【００２６】
切出しされた部分画像１４は、画像拡大回路１０８において、一度７０４×４８０の画素サイズに補間される（図２のズームあり）。このため、水平、垂直方向にそれぞれ０値の画素を補間する。例えば、上記例の場合、水平、垂直方向にそれぞれ１画素ごとに０値の画素を挿入することで、７０４×４８０の中間拡大画像１５が得られる。
【００２７】
この後、ＬＰＦ１２を施したのちズーム処理無しのときと同じ間引き率で間引き処理を画像解像度変換回路１０９で行うことで、ズーム処理された端末画像サイズの画像データを生成できる。
【００２８】
本方式では、一般にＭ倍に拡大したズーム画面を端末画面サイズに変換したい場合には、切出画面サイズ１４を水平、垂直それぞれオリジナルの１／Ｍの画像サイズにして、画像拡大回路１０８において水平、垂直それぞれ１画素ごとに（Ｍ−１）個の０値画素を補間し、後は上記例と同様にＬＰＦ処理、画素間引き処理を行うことで、複数のズーム倍率に同一回路で対応することが可能である。
【００２９】
なお、上記例では、画像解像度変換回路１０９における縮小率を（１／（整数））としているが、間引き処理前に０値補間によりｐ倍に画像を拡大したのち１／ｑに縮小すれば、ｐ／ｑの縮尺比（ｐ、ｑは、整数値）の任意の端末画像サイズに対応できる。さらに、携帯端末１１３から切出部分１４のオフセット位置情報の変更情報を制御回路１１４に通知し、制御回路１１４が入力画像の有効画素領域１０からの切出し位置を変更することで、ズーム位置を上下左右に移動させることができる。
【００３０】
上記のように、本発明の第１の実施例では、ＭＰＥＧ４のズーム処理を行なうための画像解像度変換回路１０９は、ＭＰＥＧ４ストリームの符号化を行うデータパス上にあり、ＭＰＥＧ２ストリームを生成するデータパスには全く影響を与えない。したがって、ＭＰＥＧ２ストリームでハードディスク１０４に記録を続行しつつ、ＭＰＥＧ４ストリームを携帯端末１１３に出力し、ＭＰＥＧ４のストリームを受信した携帯端末１１３でズーム処理を指示した場合、ＭＰＥＧ２の記録処理とは独立にＭＰＥＧ４の符号化ストリームの画郭のみを変更することができる。
【００３１】
これは、例えば監視システムなどで、入力画像としてある事件の犯行現場が入力されこれを記録している最中に、携帯電話などでその状況をモニタリングし、携帯電話を持ったユーザーが注視したい部分をズームアップして即座に重要な部分をチェックするような場合に特に有効である。仮に、ズームアップしたことにより、重要な被写体の動きに追従できず携帯電話中のモニタしている画郭からはずれたとしても、ハードディスク１０４に記録されるデータには影響がでないため、後に警察に提出する証拠物件として重要な箇所が欠落するというような問題が生じない。
【００３２】
また、本実施例は、ズーム処理時の画質の劣化が低減する点で他の手法よりも有利である。例えば、ＭＰＥＧ４エンコーダ前にズーム処理を行うのではなく、携帯端末１１３側でＭＰＥＧ４の復号処理を行ったのちに拡大処理を行うとすると、上記例の２倍のズーム処理を行うために、携帯端末１１３側のデコード画像中の８８×６０の画像サイズ領域を２倍に拡大して出力する必要がある。この場合、図２の拡大処理時には同じズーム処理のための画像をオリジナル画像の３５２×２４０の画像領域の情報から生成していたのに対して、すでに画素情報が欠落した状態の８８×６０の画像サイズから生成するため画質劣化が著しくなる。これを低減するためにさらにローパスフィルタ処理を施しても、画像の精細度はやはり失われてしまう。この傾向は、ズーム倍率が大きい場合に顕著である。
【００３３】
さらに、本実施例に適用する携帯端末１１３では、個々の携帯端末にはズーム処理を行うハードウェアもしくはソフトウェアを備える必要がないので、システム全体のコスト低減の面でも有利になる。
【００３４】
また、放送画像を入力画像とし、蓄積メディアに記録しつつ、遠隔地でモニタリングするような用途の場合でも同様の効果が得られる。
【００３５】
次に、本発明の第２の実施例を、図３を用いて説明する。以下の説明では、多くの機能ブロックが図１の第１の実施例と重複するため、同機能ブロックについては、図１と同じ番号をつけ、説明を省略する。
【００３６】
本実施例は、ＭＰＥＧ２方式で符号化したストリームを蓄積メディアに記録し、ＭＰＥＧ４方式で符号化したストリームをメモリＩＣのＩＦ１１７を介して、メモリＩＣ１１８に記録する手段を持ったビデオ圧縮符号化記録再生装置である。このビデオ圧縮符号化記録再生装置は、図１のビデオ符号化記録再生装置から通信インタフェース１１１を除くとともに、ユーザＩＦ１１６、メモリＩＣＩＦ１１７と、メモリＩＣ１１８を加えた点で異なっている。
【００３７】
このとき、本発明の実施例１で説明した図２のズーム処理を行うため、ズーム倍率、ズーム位置に関する指示はユーザーＩＦ１１６からユーザーが行う。本実施例では、例えば入力画像の重要な部分のみを抽出して、メモリＩＣなどに記録するような場合に効果的である。例えば、１９２０×１０８０などの高解像度のフォーマットを持つデジタルビデオカメラの撮像画像を入力とし、比較的容量の小さい記憶媒体に格納するような場合に一部だけを切り取り、例えば３５２×２４０などの小画面に変換してメモリＩＣに記録することで情報量を小さくしてデータを抽出することができる。この場合も、蓄積メディア１０４への記録とは無関係にズームが可能である。
【００３８】
次に、図４に本発明における第３の実施例を示し、以下説明する。本実施例では、ＭＰＥＧ２方式で符号化されたビデオデータが蓄積メディアに格納される。これを復号して出力する際、一部の端末画像を切出してズームし、ＭＰＥＧ４ストリームとして、ネットワークに接続された携帯に転送する手段をもつ。ズーム処理に関する詳細は、本発明第１の実施例における画像切出し回路１０７〜画像解像度変換回路１０９と同様であり、第１の実施例との違いは、画像切出し回路１０７への入力される画像が、ハードディスク１０４からリードされ、ＭＰＥＧ２デコーダ１０５で復号された再生画像データである点である。また、ズーム倍率、切出し位置の指定は、ユーザーＩＦ１１６よりユーザーによって指定され、この指定に基づき制御回路１１４がズーム処理を制御する。
【００３９】
本実施例では、例えば、携帯端末１１３を持つユーザーが遠隔地から、ハードディスク１０４に記録されたデータを再生して、さらに注視したい部分についてズームして確認する機能を提供することが可能である。図４のように、画像切出し回路１０７によりズームすべき画像領域データを切出し、画像拡大回路１０８により一度入力画像と同等サイズに拡大された時点で、入力端子１０１から入力されたディジタル画像のフォーマットと同じフォーマットで出力端子１２０から出力する。
【００４０】
したがって、携帯端末１１３側からではなく記録再生装置内あるユーザーＩＦ１１６からの指示によりズーム処理を行い、携帯端末１１３に出力するような場合、ズーム後の画郭をもちまだ携帯端末画面サイズに縮小されていない画像を出力端子１２０から図示していないディスプレイなどに出力することで、携帯端末１１３におけるズーム画像の画郭をチェックできる。
【００４１】
次に、図５を用いて、本発明における第４の実施例について説明する。第４の実施例にかかるビデオ圧縮符号化記録再生装置は、第２の実施例のビデオ圧縮符号化記録再生装置と、画像切出し回路１０７への入力される画像が、ハードディスク１０４からリードされ、ＭＰＥＧ２デコーダ１０５で復号された再生画像データである点で相違する。図５に示す第４の実施例では、図４西目した第４の実施例と同様に、一度蓄積メディア１０４に記録されたＭＰＥＧ２符号化ビデオストリームをトランスコードし、ＭＰＥＧ４符号化ビデオストリームを生成する。ただし、生成されたＭＰＥＧ４符号化ビデオストリームは、メモリＩＣのＩＦ１１７を介して、メモリＩＣ１１８に記録される。
【００４２】
本システムは、例えば監視システム用途に用いることができ重要な被写体が写っている部分のみを拡大してメモリＩＣ１１８に記録することが可能である。メモリＩＣのように少ない記録メディアに効率よく必要な情報のみをバックアップを取ることが可能である。
【００４３】
また、本実施例を個人向け記録装置に適用した場合、蓄積メディア１０４は例えば、ハードディスクやＤＶＤ／ＲＡＭであり、蓄積メディア１０４に記録された被写体のうち、ユーザーの興味のある画像部分のみを切出し、好みの画郭に修正してメモリＩＣに記憶可能である。
【００４４】
ズーム画像の切出し位置、倍率の指定についてはユーザーがユーザ−ＩＦ１１６よりボタン操作などで行う。指示された情報は制御回路１１６を通じて、画像切出し回路１０７、画像拡大回路１０８に伝達される。
【００４５】
本実施例においても、第３の実施例と同様に、ズーム後の画郭を持つ入力画像と同じサイズを持つディジタルビデオ信号を端子１２０より出力することができ、メモリＩＣ１１８に記録するサイズに縮小前にズーム画郭をディスプレイ等によってモニタリングすることができる。こうしてＭＰＥＧ４の符号化ストリームが記憶されたメモリＩＣ１１８は例えば、メモリＩＣ内の符号化ストリームが再生可能な他の携帯機器でポートレート的にブラウズすることが可能であり、このとき携帯機器側で既に縮小された画像からズームするよりも高画質の画像が得られる。
【００４６】
上記実施例１〜４では、ＭＰＥＧ２、ＭＰＥＧ４を符号化方式として説明したが、他の動画あるいは静止画の圧縮方式（例えば、ＪＰＥＧ、ＪＰＥＧ２０００、Ｈ．２６３など）を用いて、上記実施例と異なる入出力画像サイズを持つシステムにおいても同様に有効であることは明らかである。
【００４７】
さらに、蓄積メディアとして、ハードディスク以外にＤＶＤ−／ＲＡＭ／／Ｒ、ＩＣメモリ類などを用いても同様に有効であることは言うまでもない。
【００４８】
さらに、通信ネットワーク部分は、イーサーネット接続されたネットワークでも本質的に違いはない。
【００４９】
また、ズーム機能として、画像切出し回路１０７、画像拡大回路１０８、画像解像度変換回路１０９と分割して記述されているが、帯域制限のローパスフィルタと画像解像度変換回路１０９で実現された他の変換手順を用いていても、本発明における請求の範囲であり、同等の効果が得られる。
【００５０】
【発明の効果】
本発明では、複数の符号化方式で画像を圧縮、復号するシステムにおいて、片方の画像にのみ画郭を変更しつつ、ズーム処理して圧縮符号化をかける機能を提供することができる。例えば、ひとつの入力画像をもちＭＰＥＧ２とＭＰＥＧ４の符号化規格で同時にストリームを出力する際、ＭＰＥＧ４のストリームのみ入力画像の一部をズームアップして出力するような機能を実現可能である。また、別の例としてＭＰＥＧ２で予め蓄積メディアに記録された符号化ストリームを復号し、ＭＰＥＧ４のストリームに変換し通信メディアを介して送信するような場合に、やはり一部の画像部分のみをズームアップしてトランスコードすることが可能となる。本発明では、上記の機能を実現し、さらにズーム処理時の画質劣化を低減できるという効果をもつ。
【００５１】
さらに、本発明によれば、伝送容量に合わせて圧縮した画像を伝送後に切り出して拡大するのに比して、良好な画像で所定の領域を切り出し拡大を行なうので、切出し拡大後の画質を向上させることができる。
【図面の簡単な説明】
【図１】本発明の第１の実施例にかかる符号化ビデオ記録再生装置の構成の概要を示すブロック図。
【図２】本発明における画像のズーム処理を説明する図。
【図３】本発明の第２の実施例にかかる符号化ビデオ記録再生装置の構成の概要を示すブロック図。
【図４】本発明の第３の実施例にかかる符号化ビデオ記録再生装置の構成の概要を示すブロック図。
【図５】本発明の第４の実施例にかかる符号化ビデオ記録再生装置の構成の概要を示すブロック図。
【符号の説明】
１０１  ディジタルビデオ入力端子
１０２  ＭＰＥＧ２エンコーダ
１０３  蓄積メディアＩＦ
１０４  ハードディスク
１０５  ＭＰＥＧ２デコーダ
１０７  画像切出し回路
１０８  画像拡大回路
１０９  画像解像度変換回路
１１０  ＭＰＥＧ４エンコーダ
１１１  通信ＩＦ
１１２  通信ネットワーク
１１３  携帯端末
１１４  ズーム処理制御回路
１１６  ユーザーＩＦ
１２０  復号画像出力端子
【図１】
2004201072.tif 000003
【図２】
2004201072.tif 000004
【図３】
2004201072.tif 000005
【図４】
2004201072.tif 000006
【図５】
2004201072.tif 000007